(57)【要約】【課題】例えばサッシ窓の開閉具であるクレセントに好適で、暗証情報を入力したボタン操作によってクレセントの開閉を制御し、従来の二重ロック機構やキ−操作による使用上および安全上の問題を解消するとともに、真正な使用者だけにクレセントの開閉を許容し、クレセントの防御能力を強化するとともに使用上の安全性を確保し、しかも小形軽量化を図れる施錠装置を提供すること。【解決手段】暗証情報を設定かつ入力可能な操作ボタン７８，７９を備える。  前記操作ボタン７８，７９の押圧操作を介して施解錠作動可能なボタン錠部７を備える  前記ボタン錠部７の施解錠作動に連係して作動可能な施錠制御部５０とを備える。  前記操作ボタン７８，７９を押圧回数に応じて相異なる複数の暗証情報を設定可能にする。  前記施錠制御部５０を平面上に移動可能に設ける。【選択図】                    図４
2005097904.tif 000002
【特許請求の範囲】
【請求項１】
暗証情報を設定可能な操作ボタンを備え、該操作ボタンの押圧操作を介して施解錠作動可能なボタン錠部と、該ボタン錠部の施解錠作動に連係して作動可能な施錠制御部とを備えた施錠装置において、前記操作ボタンを押圧回数に応じて相異なる複数の暗証情報を設定かつ入力可能にするとともに、前記施錠制御部を平面上に移動可能に設けたことを特徴とする施錠装置。
【請求項２】
前記複数の操作ボタンを縦一列に配置し、該操作ボタンに沿って前記施錠制御部を移動可能にした請求項１記載の施錠装置。
【請求項３】
前記操作ボタンを押圧操作によって回動可能に設け、かつその回動角度を押圧回数に応じて増加可能に設けるとともに、前記施錠制御部に前記操作ボタンの回動角度に対応して回動可能な回動体を係脱可能に設けた請求項１または請求項２記載の施錠装置。
【請求項４】
前記施錠制御部に単一または複数の支持片を突設するとともに、前記回動体に係合溝を形成し、該係合溝に前記支持片を係脱可能に配置した請求項１記載の施錠装置。
【請求項５】
前記操作ボタンと同軸に該操作ボタンと同動かつ係脱可能なボタンギヤを設けるとともに、前記回動体を前記ボタンギヤと噛合可能なカウンタ−ギヤで構成した請求項３記載の施錠装置。
【請求項６】
前記操作ボタンの暗証情報設定時、前記ボタンギヤと前記カウンタ−ギヤとの噛合を解除可能にし、かつ前記カウンタ−ギヤの回動を拘束した請求項５記載の施錠装置。
【請求項７】
前記操作ボタンの暗証情報設定後、前記ボタンギヤと前記カウンタ−ギヤとを噛合可能にした請求項６記載の施錠装置。
【請求項８】
前記暗証情報設定後の操作ボタンに暗証情報を入力する際、前記支持片と前記係合溝との係合を解除し、前記ボタンギヤと前記カウンタ−ギヤとを噛合かつ回動可能にした請求項５記載の施錠装置。
【請求項９】
前記暗証情報設定後の操作ボタンに暗証情報を入力する際、その入力前に各操作ボタンを押圧操作し、各操作ボタンの暗証情報を一旦、暗証設定前の基準位置に設定する請求項８記載の施錠装置。
【請求項１０】
前記暗証情報設定後の操作ボタンに所定の暗証情報を入力し、各カウンタ−ギヤの係合溝を同方向に位置付け、これらの係合溝に前記支持片を係合可能に位置付け、施解錠可能にした請求項８記載の施錠装置。
【請求項１１】
前記解錠時、各カウンタ−ギヤの係合溝に支持片を係合し、カウンタ−ギヤの回動を拘束可能にした請求項１０記載の施錠装置。
【請求項１２】
前記施錠時、各カウンタ−ギヤの係合溝と支持片との係合を解除し、カウンタ−ギヤを回動可能にした請求項１０記載の施錠装置。
【請求項１３】
前記施錠時、前記施錠制御部の支持片または開口縁部とを各カウンタ−ギヤの頸部に係合可能に設け、各カウンタ−ギヤの軸方向移動を阻止し、前記ボタンギヤとの噛合を維持可能にした請求項１２記載の施錠装置。
【請求項１４】
前記暗証情報設定後の操作ボタンに不正な暗証情報を入力時、カウンタ−ギヤの係合溝を暗証情報設定時から移動させ、これらの係合溝に前記支持片を係合不可能にした請求項１０記載の施錠装置。
【請求項１５】
前記ボタンギヤと前記カウンタ−ギヤとを斜状に配置した請求項５記載の施錠装置。
【請求項１６】
前記ボタンギヤの同軸周面に暗証基準表示部を設けるとともに、前記ボタンギヤと前記カウンタ−ギヤとを収容可能な錠ケ−スの所定位置に表示窓を設け、該表示窓に前記暗証基準表示部を表示可能にした請求項５記載の施錠装置。
【請求項１７】
前記施錠制御部に連結板の一端を着脱かつ連係可能に連結し、該連結板にロック摘みを着脱可能に装着し、前記ロック摘みを介し連結板と施錠制御部とを同動可能にした請求項１記載の施錠装置。
【請求項１８】
前記連結板の他端部の近接位置に、開閉装置と同動可能なクリックワッシャ−を回動可能に設け、該クリックワッシャ−に第１ストッパを設け、施錠時に第１ストッパと連結板とを係合可能に設け、前記開閉装置を開回動不能にした請求項１７記載の施錠装置。
【請求項１９】
前記解錠時、前記第１ストッパと連結板との係合を解除し、前記開閉装置を開回動可能にした請求項１８記載の施錠装置。
【請求項２０】
前記クリックワッシャ−に第１ストッパと離間して第２ストッパを設け、解錠時における前記開閉装置の開回動時、前記第２ストッパを連結板に係合可能に設け、前記連結板の移動を阻止可能にした請求項１９記載の施錠装置。
【発明の詳細な説明】
【技術分野】
【０００１】
本発明は、例えばサッシ窓の開閉具であるクレセントに好適で、暗証情報を入力したボタン操作によってクレセントの開閉を制御し、従来の二重ロック機構やキ−操作による使用上および安全上の問題を解消するとともに、真正な使用者だけにクレセントの開閉を許容し、クレセントの防御能力を強化するとともに使用上の安全性を確保し、しかも小形軽量化を図れるようにした施錠装置に関する。
【背景技術】
【０００２】
クレセントはサッシ窓の開閉具として多用されているが、クレセント周辺のガラスを割り、屋外から手を伸ばすことで、開閉される惧れがあるため、従来から補助錠を用いて二重に施錠するようにしている。
例えば、サッシ窓の窓枠にクレセントと補助錠とを取り付け、該補助錠をキ−操作によってデッドボルトを作動するシリンダ錠で構成し、クレセントによる閉扉時にシリンダ錠をキ−操作し、デッドボルトをクレセントの回動域に突出させて、クレセントの回動を阻止し、一方、クレセントによる開扉時にシリンダ錠をキ−操作し、デッドボルトをクレセントの回動域から後退させて、クレセントを回動させるようにしたものがある（例えば、特許文献１）。
【０００３】
しかし、この従来の装置は、補助錠の施解錠にキ−操作を要するため、操作が煩雑で手間が掛かり、またキ−の紛失やその拾得者等による悪戯、不真正なキ−による施解錠等の問題があって、使用上の利便性や安全性が損なわれる等の問題があった。
このような問題を解決するものとして、出願人はキ−レスタイプのボタン錠を種々開発し、該ボタン錠に使用者の暗証情報を入力して記憶させ、該暗証情報を基にボタン操作して解錠するようにしている（例えば、特許文献２）。
【０００４】
しかし、この従来のボタン錠は、操作ボタンに単一の暗証情報しか入力できないため、暗証情報の入力量に限界があり、また所望の暗証情報を入力する場合は多数の操作ボタンを要して、複雑かつ大形重量化し、設置スペ−スの確保が難しいサッシ窓の施錠装置には適用できない。
【０００５】
【特許文献１】特開２００３−９７１１８号公報
【特許文献２】特公昭６２−５４９５１号公報
【発明の開示】
【発明が解決しようとする課題】
【０００６】
本発明はこのような問題を解決し、例えばサッシ窓の開閉具であるクレセントに好適で、暗証情報を入力したボタン操作によってクレセントの開閉を制御し、従来の二重ロック機構やキ−操作による使用上および安全上の問題を解消するとともに、真正な使用者だけにクレセントの開閉を許容し、クレセントの防御能力を強化するとともに使用上の安全性を確保し、しかも小形軽量化を図れるようにした施錠装置を提供することを目的とする。
【課題を解決するための手段】
【０００７】
請求項１の発明は、暗証情報を設定可能な操作ボタンを備え、該操作ボタンの押圧操作を介して施解錠作動可能なボタン錠部と、該ボタン錠部の施解錠作動に連係して作動可能な施錠制御部とを備えた施錠装置において、前記操作ボタンを押圧回数に応じて相異なる複数の暗証情報を設定かつ入力可能にするとともに、前記施錠制御部を平面上に移動可能に設け、操作ボタンに対する暗証情報設定量を増量でき、防御能力の向上を図れるとともに、暗証情報設定時や施解錠時におけるボタン操作の煩雑を解消し、また操作ボタンの個数を低減し、部品点数の低減や構成の簡潔化を図り、これを容易かつ安価に製作できるとともに、その小形軽量化を図るようにしている。
【０００８】
請求項２の発明は、前記複数の操作ボタンを縦一列に配置し、該操作ボタンに沿って前記施錠制御部を移動可能にし、この種装置の小形軽量化、特にスリム化を図るようにして、設置スペ−スのコンパクト化を図るようにしている。
請求項３の発明は、前記操作ボタンを押圧操作によって回動可能に設け、かつその回動角度を押圧回数に応じて増加可能に設けるとともに、前記施錠制御部に前記操作ボタンの回動角度に対応して回動可能な回動体を係脱可能に設け、操作ボタンによる暗証情報の設定と入力を実現するとともに、前記回動体を介して操作ボタンと施錠制御部とを連係するようにしている。
請求項４の発明は、前記施錠制御部に単一または複数の支持片を突設するとともに、前記回動体に係合溝を形成し、該係合溝に前記支持片を係脱可能に配置し、前記施錠制御部と回動体との連係を形成している。
【０００９】
請求項５の発明は、前記操作ボタンと同軸に該操作ボタンと同動かつ係脱可能なボタンギヤを設けるとともに、前記回動体を前記ボタンギヤと噛合可能なカウンタ−ギヤで構成し、簡単な構成で操作ボタンの情報を確実かつ正確に回動体へ伝達するようにしている。
請求項６の発明は、前記操作ボタンの暗証情報設定時、前記ボタンギヤと前記カウンタ−ギヤとの噛合を解除し、かつ前記カウンタ−ギヤの回動を拘束し、操作ボタンによる暗証情報の設定を確実に行なうようにしている。
請求項７の発明は、前記操作ボタンの暗証情報設定後、前記ボタンギヤと前記カウンタ−ギヤとを噛合可能にし、操作ボタンの操作による施解錠を確実かつ安定して実行するようにしている。
【００１０】
請求項８の発明は、前記暗証情報設定後の操作ボタンに暗証情報を入力する際、前記支持片と前記係合溝との係合を解除し、前記ボタンギヤと前記カウンタ−ギヤとを噛合かつ回動可能にし、操作ボタンの入力情報をカウンタ−ギヤへ確実かつ正確に伝達するようにしている。
請求項９の発明は、前記暗証情報設定後の操作ボタンに暗証情報を入力する際、その入力前に各操作ボタンを押圧操作し、各操作ボタンの暗証情報を一旦、暗証設定前の基準位置に設定し、操作ボタンに対し暗証情報を確実かつ安全に入力するようにしている。
請求項１０の発明は、前記暗証情報設定後の操作ボタンに所定の暗証情報を入力し、各カウンタ−ギヤの係合溝を同方向に位置付け、これらの係合溝に前記支持片を係合可能に位置付け、施解錠可能にして、施錠制御部を係合溝方向またはその反対方向へ移動することで、解錠と施錠を選択可能にしている。
【００１１】
請求項１１の発明は、前記解錠時、各カウンタ−ギヤの係合溝に支持片を係合し、カウンタ−ギヤの回動を拘束可能にし、カウンタ−ギヤに記憶させた暗証設定情報を保持させるようにしている。
請求項１２の発明は、前記施錠時、各カウンタ−ギヤの係合溝と支持片との係合を解除し、カウンタ−ギヤを回動可能にして、暗証情報設定後の操作ボタンの操作を実行可能にしている。
請求項１３の発明は、前記施錠時、前記施錠制御部の支持片または開口縁部とを各カウンタ−ギヤの頸部に係合可能に設け、各カウンタ−ギヤの軸方向移動を阻止し、前記ボタンギヤとの噛合を維持可能にし、施錠時における操作具等を用いた不正な暗証設定情報の変更操作や悪戯を阻止し、使用上の安全性を確保するようにしている。
【００１２】
請求項１４の発明は、前記暗証情報設定後の操作ボタンに不正な暗証情報を入力時、カウンタ−ギヤの係合溝を暗証情報設定時から移動させ、これらの係合溝に前記支持片を係合不可能にして、不正な解錠を阻止し得るようにしている。
請求項１５の発明は、前記ボタンギヤと前記カウンタ−ギヤとを斜状に配置し、これらを横に並設する場合に比べて幅狭化を図り、軽量小形化を促進するようにしている。
請求項１６の発明は、前記ボタンギヤの同軸周面に暗証基準表示部を設けるとともに、前記ボタンギヤと前記カウンタ−ギヤとを収容可能な錠ケ−スの所定位置に表示窓を設け、該表示窓に前記暗証基準表示部を表示可能にし、表示窓に表出した暗証基準表示部によって、施解錠時期を容易に確認できるようにしている。
【００１３】
請求項１７の発明は、前記施錠制御部に連結板の一端を着脱かつ連係可能に連結し、該連結板にロック摘みを着脱可能に装着し、前記ロック摘みを介し連結板と施錠制御部とを同動可能にし、ロック摘みによって施錠制御部を移動し、その施解錠操作を容易に実行するようにしている。
請求項１８の発明は、前記連結板の他端部の近接位置に、開閉装置と同動可能なクリックワッシャ−を回動可能に設け、該クリックワッシャ−に第１ストッパを設け、施錠時に第１ストッパと連結板とを係合可能に設け、前記開閉装置を開回動不能にして、クリックワッシャ−に連係したクレセント等の開閉装置による閉作動を制御かつ実行可能にしている。
【００１４】
請求項１９の発明は、前記解錠時、前記第１ストッパと連結板との係合を解除し、前記開閉装置を開回動可能にし、クレセント等の開閉装置による開作動を制御かつ実行可能にしている。
請求項２０の発明は、前記解錠時、前記クリックワッシャ−に第１ストッパと離間して第２ストッパを設け、解錠時における前記開閉装置の開回動時、前記第２ストッパ−を連結板に係合可能に設け、前記連結板の移動を阻止可能にし、解錠時に連結板を下動しての不正な操作ボタンの操作を阻止するようにしている。
【発明の効果】
【００１５】
請求項１の発明は、操作ボタンを押圧回数に応じて相異なる複数の暗証情報を設定かつ入力可能にするとともに、前記施錠制御部を平面上に移動可能に設けたから、操作ボタンに対する暗証情報設定量を増量でき、防御能力の向上を図れるとともに、暗証情報設定時や施解錠時におけるボタン操作の煩雑を解消し、また操作ボタンの個数を低減し、部品点数の低減や構成の簡潔化を図って、これを容易かつ安価に製作できるとともに、その小形軽量化を図ることができる。
請求項２の発明は、前記複数の操作ボタンを縦一列に配置し、該操作ボタンに沿って前記施錠制御部を移動可能にしたから、この種装置の小形軽量化、特にスリム化を図り、設置スペ−スのコンパクト化を図ることができる。
請求項３の発明は、前記操作ボタンを押圧操作によって回動可能に設け、かつその回動角度を押圧回数に応じて増加可能に設けるとともに、前記施錠制御部に前記操作ボタンの回動角度に対応して回動可能な回動体を係脱可能に設けたから、操作ボタンによる暗証情報の設定と入力を実現できるとともに、前記回動体を介して操作ボタンと施錠制御部とを連係することができる。 
【００１６】
請求項４の発明は、前記施錠制御部に単一または複数の支持片を突設するとともに、前記回動体に係合溝を形成し、該係合溝に前記支持片を係脱可能に配置したから、前記施錠制御部と回動体との連係を形成することができる。
請求項５の発明は、前記操作ボタンと同軸に該操作ボタンと同動かつ係脱可能なボタンギヤを設けるとともに、前記回動体を前記ボタンギヤと噛合可能なカウンタ−ギヤで構成したから、簡単な構成で操作ボタンの情報を確実かつ正確に回動体へ伝達することができる。
請求項６の発明は、前記操作ボタンの暗証情報設定時、前記ボタンギヤと前記カウンタ−ギヤとの噛合を解除し、かつ前記カウンタ−ギヤの回動を拘束したから、操作ボタンによる暗証情報の設定を確実に行なうことができる。
【００１７】
請求項７の発明は、前記操作ボタンの暗証情報設定後、前記ボタンギヤと前記カウンタ−ギヤとを噛合可能にしたから、操作ボタンの操作による施解錠を確実かつ安定して実行することができる。
請求項８の発明は、前記暗証情報設定後の操作ボタンに暗証情報を入力する際、前記支持片と前記係合溝との係合を解除し、前記ボタンギヤと前記カウンタ−ギヤとを噛合かつ回動可能にしたから、操作ボタンの入力情報をカウンタ−ギヤへ確実かつ正確に伝達することができる。
【００１８】
請求項９の発明は、前記暗証情報設定後の操作ボタンに暗証情報を入力する際、その入力前に各操作ボタンを押圧操作し、各操作ボタンの暗証情報を一旦、設定前の基準位置に設定したから、操作ボタンに対し暗証情報を確実かつ安全に入力することができる。
請求項１０の発明は、前記暗証情報設定後の操作ボタンに所定の暗証情報を入力し、各カウンタ−ギヤの係合溝を同方向に位置付け、これらの係合溝に前記支持片を係合可能に位置付け、施解錠可能にしたから、施錠制御部を係合溝方向またはその反対方向へ移動することで、解錠と施錠を選択することができる。
請求項１１の発明は、前記解錠時、各カウンタ−ギヤの係合溝に支持片を係合し、カウンタ−ギヤの回動を拘束可能にしたから、カウンタ−ギヤに記憶させた暗証設定情報を保持させることができる。
【００１９】
請求項１２の発明は、前記施錠時、各カウンタ−ギヤの係合溝と支持片との係合を解除し、カウンタ−ギヤを回動可能にしたから、暗証情報設定後の操作ボタンの操作を実行することができる。
請求項１３の発明は、前記施錠時、前記施錠制御部の支持片または開口縁部とを各カウンタ−ギヤの頸部に係合可能に設け、各カウンタ−ギヤの軸方向移動を阻止し、前記ボタンギヤとの噛合を維持可能にしたから、施錠時に操作具等を用いた不正な暗証設定情報の変更操作や悪戯を阻止し、使用上の安全性を確保することができる。
請求項１４の発明は、前記暗証情報設定後の操作ボタンに不正な暗証情報を入力時、カウンタ−ギヤの係合溝を暗証情報設定時から移動させ、これらの係合溝に前記支持片を係合不可能にしたから、不正な解錠を阻止することができる。
【００２０】
請求項１５の発明は、前記ボタンギヤと前記カウンタ−ギヤとを斜状に配置したから、これらを横に並設する場合に比べて幅狭化を図れ、軽量小形化を促進することができる。
請求項１６の発明は、前記ボタンギヤの同軸周面に暗証基準表示部を設けるとともに、前記ボタンギヤと前記カウンタ−ギヤとを収容可能な錠ケ−スの所定位置に表示窓を設け、該表示窓に前記暗証基準表示部を表示可能にしたから、表示窓に表出した暗証基準表示部によって、施解錠時期を容易に確認することができる。
請求項１７の発明は、前記施錠制御部に連結板の一端を着脱かつ連係可能に連結し、該連結板にロック摘みを着脱可能に装着し、前記ロック摘みを介し連結板と施錠制御部とを同動可能にしたから、ロック摘みによって施錠制御部を移動可能にし、その施解錠操作を容易に実行することができる。
請求項１８の発明は、前記連結板の他端部の近接位置に、開閉装置と同動可能なクリックワッシャ−を回動可能に設け、該クリックワッシャ−に第１ストッパを設け、施錠時に第１ストッパと連結板とを係合可能に設け、前記開閉装置を開回動不能にしたから、クリックワッシャ−に連係したクレセント等の開閉装置による閉作動を制御かつ実行することができる。
【００２１】
請求項１９の発明は、前記解錠時、前記第１ストッパと連結板との係合を解除し、前記開閉装置を開回動可能にしたから、クレセント等の開閉装置による開作動を制御かつ実行することができる。
請求項２０の発明は、前記解錠時、前記クリックワッシャ−に第１ストッパと離間して第２ストッパを設け、解錠時における前記開閉装置の開回動時、前記第２ストッパを連結板に係合可能に設け、前記連結板の移動を阻止可能にしたから、解錠時に連結板を下動しての不正な操作ボタンの操作を阻止することができる。
【発明を実施するための最良の形態】
【００２２】
以下、本発明を引き違い戸であるサッシ窓の開閉装置である、クレセントに適用した図示の実施形態について説明すると、図１乃至図２０において１，２は互いに引き違い移動可能に内外に配置したインナ−ドアとアウタ−ドアで、それらの閉扉時にサッシ心に位置する縦枠３，４の中高位置に、施錠装置本体５とクレセント受金具６が取り付けられている。
前記施錠装置本体５は略細長柱状に形成され、その上部にボタン錠部７が内蔵され、その下部にクレセント８が、操作ノブ９を介して回動可能に取り付けられている。
前記クレセント８はクレセント受金具６に係脱可能に取り付けられ、その係脱作動を介して、インナ−ドア１とアウタ−ドア２とを開閉可能にしている。
【００２３】
前記施錠装置本体５は外殻を形成する錠ケ−ス１０を備え、該本体１０は亜鉛合金ダイカストによって略細長の箱形に成形され、その外側の下部に前記クレセント８と、操作ノブ９の下部が重合して配置され、これらが操作ノブ９の下部に突設した枢軸１１を介して、同動かつ回動可能に取り付けられている。
前記枢軸１１は錠ケ−ス１０の下部に挿入され、その角形の軸端部に座金１２を介してクリックワッシャ１３が嵌合され、該ワッシャ１３の外側からビス１４が枢軸１１のネジ部１５にねじ込まれている。
【００２４】
前記クリックワッシャ１３の外周の等角度位置、すなわち９０°および１８０°の各位置にバネ掛１６と、第１および第２ストッパ１７，１８が突設され、前記バネ掛１６にクリックスプリング１９の一端が掛け止められ、この他端が錠ケ−ス１０に突設したピン２０に掛け止められている。
そして、前記スプリング１９の弾性を介して、クリックワッシャ１３ないし操作ノブ９の回動方向を上方または下方に切り換え、かつ同方向へ復帰回動可能にしている。
前記第２ストッパ１８はバネ掛１６に対向して突設され、施錠時には図５（ａ）のように後述する連結板の係止片から避退し、解錠時のクレセント８の開操作時には前記連結板の係止片と係合し、前記連結板の下動を阻止可能にしている。
【００２５】
図中、９ａは操作ノブ９の下部に形成した係合溝で、クレセント８の底面の隅角部と係合可能に形成され、２１は前記係合溝９ａに突設した位置決め用の係止片で、クレセント８の底面の開口溝２２に係合可能にされている。２３はクレセント８の底面に形成した通孔で、前記枢軸１１を挿入可能にしている。
【００２６】
前記錠ケ−ス１０の内側は、上下部壁２４，２５と左右の側壁２６，２７とで区画され、その一方の側壁２６の中間部に切欠溝２８が形成され、該溝２８の近接位置に同様な二つの湾曲状の凹溝２９，３０が形成され、前記切欠溝２８にロック摘み３１が上下に摺動可能に装着されている。
前記ロック摘み３１は、合成樹脂によって略きのこ形断面形状に成形され、その操作は、ボタン錠部７の施錠時にクレセント８を掛け止める際に押し下げられ、直上に設けたロック表示部３２を表出させ、一方、ボタン錠部７の解錠時にクレセント８を掛け外す際に押し上げられ、前記ロック表示部３２を隠蔽可能にしている。
【００２７】
前記ロック摘み３１は一側に連結片３３を突設し、該連結片３３にガイドピ−ス３４をロック摘み３１と平行に成形している。
前記ガイドピ−ス３４はロック摘み３１よりも若干長尺に形成され、該ピ−ス３４とロック摘み３１とが側壁２６の内外面に配置され、これらが側壁２６に沿って摺動可能に設けられている。
【００２８】
前記ガイピ−ス３４の外側の一端に湾曲柱状の凸部３５が突設され、該凸部３５が前記凹溝２９，３０に選択的に係合可能にされ、ロック摘み３１の移動位置を保持可能にしている。
前記連結片３３の端部に支持腕３６が同方向に突設され、その両端部に係止部３７，３８が突設され、該係止部３７，３８の間に連結板３９がロック摘み３１と同動可能に装着されている。
【００２９】
前記連結板３９は鋼板をプレス成形して縦長矩形に形成され、その上部の両側に前記係止部３７，３８と係合可能な切欠溝４０，４１が形成され、その中間部に異形の縦長の長孔４２が形成されている。
前記連結板３９の上下端部に大小の屈曲片４３，４４が形成され、このうち上側の屈曲片４３が後述の係止片の間に係合可能に配置され、下側の屈曲片４４の側端部が施錠時に前記第１ストッパ１７と係合可能に配置されている。
【００３０】
図中、４５は前記屈曲片４３に隣接して形成した係止片で、連結板３９の下端部に下向きに突設され、解錠時におけるクレセント８の開操作時、図７（ａ）のように前記係止片４５の先端部を前記第２ストッパ１８と係合可能に配置している。
図中、４７は錠ケ−ス１０の中間部に突設した段部で、該段部４７上に連結板３９が移動可能に収容され、その中央にネジ孔４８が形成され、該ネジ孔４８に止めネジ４９がねじ込まれている。
【００３１】
前記上側の屈曲片４３は、施錠制御部であるロックプレ−ト５０の係合片５１と、係止片５２，５２とに係合可能に掛け止められ、連結板３９とロックプレ−ト５０とが錠ケ−ス１０の上部に上下に同動可能に配置されている。
前記ロックプレ−ト５０は鋼板をプレス成形して略縦長矩形に形成され、その下端部に前記係合片５１と係止片５２，５２とを屈曲形成し、その上端部に係合溝５３を切り欠き形成し、該溝５３を錠ケ−ス１０の上部に突設した掛止リブ５４に係合可能に配置し、ロックプレ−ト５０の上方変位を規制可能にしている。
【００３２】
前記ロックプレ−ト５０の中間部の一側に二つの切欠溝５５，５６が上下位置に形成され、これらの溝５５，５６に臨ませて、舌片状の二つの支持片５７，５８が上向きに突設されている。
前記支持片５７，５８に、回動体であるカウンタ−ギヤ５９，６０の軸筒部６１，６２が掛け止められ、該ギヤ５９，６０は、亜鉛合金ダイカストによって実質的に同一に構成されている。
【００３３】
すなわち、カウンタ−ギヤ５９，６０は後述する各操作ボタンの情報入力量と同数、実施形態では８個の歯を備え、該ギヤ５９，６０と軸筒部６１，６２との間に、ロックプレ−ト５０を差し込み可能な頸部６３，６４を形成している。
図中、５９ａ，６０ａはカウンタ−ギヤ５９，６０の上面に一体成形した薄肉のキャッププレ−トである。
【００３４】
前記軸筒部６１，６２と頸部６３，６４に亘って縦長の係合溝６５，６６が形成され、該係合溝６５，６６に前記支持片５７，５８が係脱可能に挿入されている。
すなわち、前記係合溝６５，６６は、ボタン錠部７の施解錠時に後述する操作ボタンの操作を介し、下向きの同相位置に移動後、ロック摘み３１を押し下げ、支持片５７，５８を係合溝６５，６６から引き抜いて、図５（ａ），（ｂ）に示す施錠状態を形成可能にしている。
【００３５】
その際、図５（ｂ）のように支持片５７，５８の先端部が係合溝６５，６６の口縁部に位置し、また切欠溝５５，５６の開口縁部５５ａ，５６ａが頸部６３，６４の外周部に位置して、頸部６３，６４の周縁部と係合可能に位置し、カウンタ−ギヤ５９，６０のボタン錠カバ−７０側への移動を阻止するようにしている。
したがって、施錠時に後述の操作具を操作口に差し込んで暗証情報を変更する不正操作や悪戯を防止可能にしている。
【００３６】
一方、前記係合溝６５，６６を下向きの同相位置に移動後、ロック摘み３１を押し上げ、支持片５７，５８を係合溝６５，６６に係入して、図６および図７の（ａ），（ｂ）に示す解錠状態を形成可能にしている。このうち、図６はクレセント８の掛け止め時を示し、図７はクレセント８の掛け外し時を示している。
その際、クレセント８の掛け外し時には図７（ａ）のように、第２ストッパ１８が連結板３９の係止片４５に係合し、連結板３９の下動を阻止して解錠状態を維持するようにしている。
【００３７】
図中、６７，６７はカウンタ−ギヤ５９，６０の上部に突設した凸部で、これらに合成樹脂製のバネ受６８，６８が差し込まれ、該バネ受６８，６８に円錐状のリセットスプリング６９，６９が着座し、その他端がボタン錠カバ−７０の内面に介挿されている。
そして、前記リセットスプリング６９の弾性によって、カウンタ−ギヤ５９，６０を錠ケ−ス１０側へ付勢し、軸筒部６１，６２の端部を凹孔７１，７２に押し当てている。
【００３８】
前記凹孔７１，７２は錠ケ−ス１０内の上部に上下に離間して形成され、その内部に前記軸筒部６１，６２が回動可能に収容され、その底部に後述の操作具を差し込み可能な操作口７３が形成されている。図中、７４は軸筒部６１，６２の端部に突設した凸部である
前記凹孔７１，７２の近接位置に若干大径の凹孔７５，７６が形成され、その奥部の内周面に複数、実施形態では８個のガイドリブ７７，７７が等角度位置に突設されている。
前記ガイドリブ７７，７７の先端部はテ−パ状に形成され、該テ−パ部に後述するドグのテ−パ部が係合可能にされ、それら間に実質的には操作ボタンである、ボタンケ−ス７８，７９のリブスペ−ス８０が係合可能に挿入されている。
【００３９】
前記ボタンケ−ス７８，７９は合成樹脂によって有底円筒状に成形され、これらは実質的に同一に構成され、その開口側外周面に係止リング８１が突設され、該リング８１に前記複数のリブスペ−ス８０が形成されている。また、前記ボタンケ−ス７８，７９の開口側端面に、山形ないし鋸歯状の係合爪８２が突設され、該係合爪８２にドグギヤ８３が係脱可能に噛合している。
【００４０】
前記ドグギヤ８３は亜鉛合金ダイカストによって略菊花状に成形され、その端面に前記係合爪８２と噛合可能な山形ないし鋸歯状の係合爪８４が突設され、その周面に複数のドグ８５が突設されている。
前記ドグ８５の先端部はテ−パ状に形成され、このテ−パ部８５ａを前記ガイドリブ７７のテ−パ部に係合可能に配置し、操作ボタンの押圧操作後、ボタンケ−ス７８，７９の復帰作動時に、前記テ−パ部８５ａを前記ガイドリブ７７のテ−パ部に係合させ、回動体であるボタンギヤ８６，８７を間欠的にヘリカル回動可能にしている。
【００４１】
前記ドグギヤ８３にギヤシャフト８８が一体に成形され、該シャフト８８の一部は角軸状に形成され、該角軸部にボタンギヤ８６または８７を一体に連結している。実施形態では、ギヤシャフト８８にボタンギヤ８６，８７をカシメて一体に連結している。
前記ボタンギヤ８６，８７は実質的に同一に構成され、これらは亜鉛合金ダイカストによって前記カウンタ−ギヤ５９，６０と同形に成形され、その歯数はカウンタ−ギヤ５９，６０と同数に構成されていて、該カウンタ−ギヤ５９，６０と噛合可能に配置されている。
【００４２】
前記ボタンギヤ８６または８７とドグギヤ８３との間にボタンスプリング８９が介挿され、該スプリング８９の弾性を介して、各ドグギヤ８３，８３を係合爪８２，８２に噛合可能に付勢している。
前記ボタンギヤ８６，８７の一側に、肉厚な円板状の回動体であるボス９０が一体成形され、該ボス９０の周面に凹孔状の暗証基準予告表示部９１と、暗証基準表示部９２とが隣接して設けられ、これらは相異なる色彩または模様に蓄光表示されていて、後述する操作ボタンによる施解錠操作時の施解錠時期および直前時期を表示可能にしている。
【００４３】
実施形態では、前記表示部９１，９２に蓄光シ−ル（図示略）を貼り付けているが、蓄光塗料を塗布しても良い。
図中、９３，９４は前記暗証基準表示部９１，９２に対応して、前記錠ケ−ス１０の側壁２６に開口形成した表示窓、９５は暗証基準表示部９１，９２と表示窓９３，９４の周辺に形成した凹状部である。
【００４４】
９６，９７は錠ケ−ス１０内の上部に成形した取付段部で、それらにガイドピン９８，９９とネジ孔１００，１０１が形成され、これらにビス１０２をねじ込んで、ボタン錠カバ−７０を取り付けている。
１０３は錠ケ−ス１０の取付ビスで、ネジビス若しくはタッピングビスでよく、錠ケ−ス１０に設けた長孔１０８を介して、前記縦枠３にねじ込み可能しており、１０４はビス１０３を隠蔽するビスカバ−、１０５は錠ケ−ス１０の下半部を閉塞する裏板カバ−である。
【００４５】
この他、図中１０６は操作ボタン７８，７９の近接位置に形成した操作口で、ボタン錠部７の外側からピン状の操作具１０７を差し込み可能にされ、該操作具１０７を介してボタン錠部７の暗証情報を入力設定し、または設定情報を変更可能にしている。
実施形態では一つの操作ボタンで８通りの暗証情報を入力可能にされ、二つの操作ボタンによって６４通りの暗証情報を入力可能にしている。この場合、二つ以上の操作ボタン７８，７９を用いれば、それだけ暗証情報入力量を増量でき、防御機能を増強し得る。
【００４６】
このように構成した施錠装置は、複数の操作ボタン７８，７９のそれぞれに、複数の暗証情報を設定または入力可能なボタン錠部７を備えているから、従来のボタン錠のように、操作ボタンに単一の暗証情報を設定または入力し、操作ボタンの組み替えによって複数通りの暗証情報を得るものに比べて、多数の暗証情報を得られ、かつその選択範囲も広がって防御能力の向上を図れ、その分操作ボタンの個数を低減できる。
したがって、構成の簡潔化と部品点数の低減を図れ、これを容易かつ安価に製作できるとともに、ボタン錠部７ないし施錠装置の小形軽量化を図れ、設置スペ−スのコンパクト化を実現して、サッシ窓枠への取り付けに容易に応じられる。
【００４７】
しかも、前記ボタン錠部７は、操作ボタンの押圧操作回数によって複数通りの暗証情報を設定または入力できるから、従来のボタン錠のように操作ボタンに単一の暗証情報を設定または入力するものに比べて、操作ボタンの表面に付着した指紋の有無や、操作ボタンの表面の磨耗状態によって、設定または入力した暗証情報を察知される惧れがなく、それだけ防御能力の向上を図れる。
【００４８】
次に本発明の施錠装置を製作する場合は、例えば錠ケ−ス１０、ドグギヤ８３、カウンタ−ギヤ５９，６０、ボタンギヤ８６，８７等を亜鉛合金ダイカストで成形し、操作ノブ９、ロック摘み３１、ボタンケ−ス７８，７９、バネ受６８、ボタン錠カバ−７０、ビスカバ−１０４等を合成樹脂成形し、クレセント８、クリックワッシャ−１３、連結板３９、ロックプレ−ト５０、裏板カバ−１０５等は鋼板をプレス成形して製作する。
【００４９】
こうして製作した構成部品を組み付ける場合は、例えば組み立てが複雑で多部品を要するボタン錠部７の部分と、その他の部分に分けて行なうと、合理的である。
先ず、ボタン錠部７の部分の組み付けに際しては、予めドグギヤ８３とセットスプリング８９とボタンギヤ８６または８７とを組み付けて置く。
この状況は図２０のようで、ドグギヤ８３と一体のギヤシャフト８８にセットスプリング８９を挿入し、該シャフト８８をボタンギヤ８６に挿入後、該シャフト８８の先端部をカシメて、一体に連結する。
連結後の状況は図１９のようで、ボタンギヤ８６がセットスプリング８９の弾性によってドグギヤ８３から離反し、ギヤシャフト８８の端部側に付勢されている。
【００５０】
ボタン錠部７の部分の組み付けは図１５のようで、錠ケ−ス１０の凹孔７５，７６にボタンケ−ス７８，７９を挿入し、そのリブスペ−ス８０をガイドリブ７７に係合する。
そして、前記ボタンケ−ス７８，７９上に、前記組み付けたボタンギヤ８６，８７のアセンブリを収容し、その係合爪８４を係合爪８２に係合する。
この後、ロックプレ−ト５０の支持片５７，５８を、カウンタ−ギヤ５９，６０の係合溝６５，６６を差し込み、該ギヤ５９，６０を保持しながら、軸筒部６１，６２を凹孔７１，７２に挿入し、ロックプレ−ト５０を錠ケ−ス１０内の底部上に収容し、カウンタ−ギヤ５９，６０をボタンギヤ８６，８７に噛合する。
【００５１】
そして、各カウンタ−ギヤ５９，６０のキャッププレ−ト５９ａ，６０ａ上にバネ受６８，６８を収容し、該バネ受６８，６８にリセットスプリング６９，６９を収容したところで、これらの上方からボタン錠カバ−７０を取付段部９６，９７上に位置付け、ビス１０２をネジ孔１００，１０１にねじ込んで、ボタン錠カバ−７０を取り付ける。
このようにすることで、ボタン錠部７の内部を閉塞し、内部の各構成部品を保護するとともに、それらの組み付け状態を維持して他部品の組み付けに応じられる。
【００５２】
すなわち、錠ケ−ス１０の下部表面にクレセント８と操作リブ９を重合し、その枢軸１１を通孔２３を介して錠ケ−ス１０の内部に挿入し、その軸端部に座金１２とクリックワッシャ−１３を差し込み、ビス１４をネジ孔１５にねじ込んで、これらを取り付ける。
次に、錠ケ−ス１０のピン１９と、クリックワッシャ−１３のバネ掛１６にクリックスプリング１９の両端を掛け止め、また連結板３９の上部をロック摘み３１の支持腕３６に位置付け、切欠溝４０，４１を係止部３７，３８に嵌合する。
【００５３】
そして、前記嵌合状態を維持しながら、ロック摘み３１を切欠溝２８に差し込み、ロック摘み３１とガイピ−ス３４とを切欠溝２８の内外に位置付け、また連結板３９の屈曲片４３をロックプレ−ト５０の係合片５１と、係止片５２，５２との間に係入したところで、裏板カバ−１０５を錠ケ−ス１０の背部に位置付け、ビス４９をネジ孔４８にねじ込んで、裏板カバ−１０５を取り付ければ、一連の組み付け作業が終了する。
【００５４】
こうして組み付けた施錠装置を新設のサッシ窓に取り付ける場合は、錠ケ−ス１０の外側から取付ビス１０３，１０３を長孔１０８，１０８に挿入し、これをインナ−ドア１のサッシ心側の縦枠５に設けたビス孔（図示略）にねじ込めば良く、ビス孔ピッチの多少の誤差は長孔１０８，１０８で対応する。
この場合、既設のサッシ窓やクレセント８を利用することも可能であり、その際既設のビス孔（図示略）のピッチを、長孔１０８，１０８で対応できないときは、縦枠５の所定位置に二つのビス孔（図示略）を新たに明けて対応すれば良い。
このように本発明の施錠装置は、新設のサッシ窓や既設のサッシ窓にも取り付けられる
【００５５】
前記施錠装置の取り付け状況は図１乃至図３のようで、施錠装置本体５は細長柱状に形成され、縦枠３から食み出すことなくコンパクトに取り付けられ、サッシ窓周辺の外観を損なうことはない。
また、施錠装置本体５の上部の正面に二つの操作ボタン７８，７９が縦一列に若干偏心して配置され、その近接位置に二つの小孔状の操作口１０６，１０６が形成され、その側面に二つの表示窓９３，９４が開口され、該窓９３，９４に所定の蓄光剤で着色処理された暗証設定基準表示部９１または９２が表出し、意匠的な審美感を奏する。
【００５６】
このような施錠装置を使用する場合は、先ずボタン錠部７に所望の暗証情報を入力し設定する。
これを説明の便宜上、施錠装置に最初に暗証情報を入力し設定する状況で説明すると、暗証情報の初期設定前の施錠装置本体５は、ボタン錠部７が施解錠可能な状態に置かれ、二つの表示窓９３，９４に同一の暗証基準表示部９２が表出し、視覚的には同一色または模様が表出している。
【００５７】
このようなボタン錠部７の施解錠可能な状況下では、二つのカウンタ−ギヤ５９，６０の係合溝６５，６６が共に垂直下向き状態に置かれ、該係合溝６５，６６の直下にロックプレ−ト５０の支持片５７，５８が係合可能に位置し、かつカウンタ−ギヤ５９，６０とボタンギヤ８６，８７とが噛合している。
【００５８】
このような状況の下でロック摘み３１を押し上げ、連結板３９を介してロックプレ−ト５０を押し上げ、支持片５７，５８を係合溝６５，６６に係入し、つまりカウンタ−ギヤ５９，６０の回動を阻止し、ボタン錠部７を解錠状態に設定する。
このようにすると、ロック摘み３１がロック表示部３２を隠蔽し、凸部３５が凹溝３０に係合して、ロック摘み３１の位置を維持する。
この後、操作具１０７を保持して施錠装置本体５の正面に立ち、操作具１０７を例えば操作ボタン７９に対応する一方の操作口１０６に挿入する。この状況は図１１のようである。
【００５９】
そして、前記操作具１０７をセットスプリング６９の弾性に抗して押し込み、操作口１０６に臨む一方のカウンタ−ギヤ６０を、バネ受６８と一緒に奥部、つまりサッシ窓側へ移動し、対応するボタンギヤ８７との噛合を解除し、該ボタンギヤ８７を回動可能にする
この状況は図１２のようである。この状況の下で、前記ボタンギヤ８７に対応する操作ボタン７９を所望の暗証設定情報に相当する回数分押圧操作する。
例えば、操作ボタン７９の暗証設定情報を「２」とし、操作ボタン７８の暗証設定情報を「３」とすると、操作ボタン７９を２回押圧操作し、操作ボタン７８を３回押圧操作する。
なお、暗証設定情報が「０」の場合は、操作ボタン７８の零回操作、つまり暗証情報の初期設定前の状況になる。
【００６０】
そこで、先ず操作ボタン７９を１回押圧操作すると、該ボタン７９と、対応するボタンギヤ８７の内部に組み付けたドグギヤ８３とが、ボタンスプリング８９の弾性に抗して一緒に奥部、つまりサッシ窓側へ移動し、移動後、前記ボタンギヤ８７のアセンブリが、スプリング８９の弾性によって原位置へ押し戻される。この状況は図８および図１０のようである。
この場合、ボタンギヤ８７の移動変位は、ボタン錠カバ−７０によって阻止されているから、ボタンギヤ８７が前記カウンタ−ギヤ６０と噛合することはない。
【００６１】
そして、前記ボタン７９とドグギヤ８３とが原位置へ押し戻される際、ドグ８５のテ−パ部８５ａがガイドリブ７７のテ−パ部に係合し、前記ボタンギヤ８７がヘリカル回動する。
その場合の回動角度は、ガイドリブ７７の１ピッチ分、つまり４５°に相当する。
この後、操作ボタン７９を再度押圧操作し、その原位置復帰時にボタンギヤ８７を更に４５°回動させる。したがって、操作ボタン７９を２回押圧操作すると、ボタンギヤ８７およびそのアセンブリが、初期設定時の基準位置から９０°回動する。
【００６２】
こうして操作ボタン７９に対する暗証情報設定後、操作具１０７を操作口１０６から引き抜く。このようにすると、セットスプリング６９の弾性によって、カウンタ−ギヤ６０とバネ受６８とが一緒に原位置へ押し戻され、該カウンタ−ギヤ６０が前記暗証情報設定後のボタンギヤ８７に噛合する。
【００６３】
次に操作ボタン７８の暗証情報を設定する場合は、操作ボタン７９と同じ要領で行なう  すなわち、操作具１０７をセットスプリング６９の弾性に抗して押し込み、操作口１０６に臨む一方のカウンタ−ギヤ５９を、バネ受６８と一緒に奥部、つまりサッシ窓側へ移動し、対応するボタンギヤ８６との噛合を解除し、該ボタンギヤ８６を回動可能にする。
【００６４】
この状況の下で操作ボタン７８を３回押圧操作し、ボタンギヤ８６およびそのアセンブリを、初期設定時の基準位置から１３５°回動する。
操作ボタン７８に対する暗証情報設定後、操作具１０７を操作口１０６から引き抜き、セットスプリング６９の弾性によって、カウンタ−ギヤ５９とバネ受６８とを原位置へ押し戻し、該カウンタ−ギヤ５９を前記暗証情報設定後のボタンギヤ８６に噛合する。
【００６５】
こうして操作ボタン７８，７９に対する暗証情報を設定後、その入力設定の当否を確認する場合は、ロック摘み３１を押し下げ、連結板３９を介してロックプレ−ト５０を押し下げ、支持片５７，５８をカウンタ−ギヤ５９，６０の係合溝６５，６６から引き抜く。
すなわち、ロック摘み３１をロックモ−ドにし、カウンタ−ギヤ５９，６０を回動可能にした後、操作ボタン７８，７９を適宜回数押圧操作し、表示窓９４，９５に暗証基準表示部９２，９２をそれぞれ表示させたところで、ロック摘み３１を押し上げることができれば、暗証情報の入力設定が適格であることが確認される。
【００６６】
つまり、操作ボタン７８，７９の暗証情報設定後は、ボタンギヤ８６，８７が暗証情報に応じてそれぞれ回動設定されるが、それらの回動位置を一旦初期設定前の基準位置に戻し、カウンタ−ギヤ５９，６０の係合溝６５，６６を垂直下向き状態に位置付け、該係合溝６５，６６にロックプレ−ト５０の支持片５７，５８が差し込まれれば、ロックプレ−ト５０と前記ギヤ５９，６０，８６，８７とが正常に機能していることが確認され、暗証情報設定が適格であることが確認されることとなる。
【００６７】
こうして操作ボタン７８，７９の暗証情報を設定後、施錠装置を使用してクレセント８を介し、インナ−ドア１とアウタ−ドア２とを開閉する場合は、操作ノブ９を垂直に位置付け、クレセント８を回動してクレセント受金具６に掛け止め、インナ−ドア１とアウタ−ドア２の閉鎖状態をロックする。
この後、ロック摘み３１を押し下げ、凸部３５を凹溝２９に係合してロック摘み３１の位置を保持し、かつロック表示部３２を表出させて施錠モ−ドに設定する。
【００６８】
この状況は図１〜図３および図５のようで、ロック摘み３１に連動して連結板３９とロックプレ−ト５０が引き下げられ、支持片５７，５８がカウンタ−ギヤ５９，６０の係合溝６５，６６から引き抜かれる。また、連結板３９の下端部にクリックワッシャ−１３の第１ストッパ１７が位置し、該ストッパ１７が屈曲片４４の側端部と係合可能に位置する
したがって、クリックワッシャ−１３が回動不能になり、該ワッシャ−１３と一体的なクレセント８の開回動が阻止される。
【００６９】
このような施錠時は、図５（ｂ）のように支持片５７，５８の先端部が係合溝６５，６６の口縁部に位置し、また切欠溝５５，５６の開口縁部５５ａ，５６ａが頸部６３，６４の外周部に位置して、頸部６３，６４の周縁部と係合可能に位置し、カウンタ−ギヤ５９，６０のボタン錠カバ−７０側への移動を阻止する。
したがって、施錠時に操作具１０７を操作口１０６に差し込んで暗証情報を変更する不正な操作や悪戯を防止し得る。
【００７０】
このような状況から施錠装置本体５を解錠し、インナ−ドア１またはアウタ−ドア２を開放する場合は、先ず操作ボタン７８，７９を適宜回数押圧操作し、表示窓９４，９５に暗証基準表示部９２，９２をそれぞれ表示させたところで、操作ボタン７８，７９を前記設定した暗証情報回数分押圧操作する。
【００７１】
すなわち、操作ボタン７８を３回押圧操作し、ボタンギヤ８６を１３５°回動し、該ギヤ８６と噛合するカウンタ−ギヤ６０を反対方向へ回動し、その係合溝６６を垂直下向きに位置付ける。
また、操作ボタン７９を２回押圧操作し、ボタンギヤ８７を９０°回動し、該ギヤ８７と噛合するカウンタ−ギヤ６０を反対方向へ回動し、その係合溝６６を垂直下向きに位置付ける。
【００７２】
この後、ロック摘み３１を押し上げ、凸部３５を凹溝３０に係合し、ロック表示部３２を隠蔽して、解錠モ−ドに設定する。
このようにすると、ロック摘み３１に連動して連結板３９とロックプレ−ト５０が上動し、第1ストッパ１７と屈曲片４４との係合状態が解除され、クリックワッシャ−１３ないしクレセント８の回動が可能になる。
また、ロックプレ−ト５０の上動に伴い、支持片５７，５８が係合溝６５，６６に挿入され、カウンタ−ギヤ５９，６０の回動を阻止する。つまり、カウンタ−ギヤ５９，６０が暗証設定情報に相当する回動角度を保持する。この状況は図６（ａ），（ｂ）のようである。
【００７３】
そこで、操作ノブ９を保持し、これを図２上反時計方向へ１８０°回動して、クレセント８を同動させ、クレセント８とクレセント受金具６とを掛け外せば、インナ−ドア１またはアウタ−ドア２を開放することができる。
この状況は図７（ａ），（ｂ）のようで、クレセント８の前記開回動によってクリックワッシャ−１３が同動し、その第２ストッパ１８が連結板３９の係止片４５に係合して、連結板３９の下動ないしロックプレ−ト５０の下動を阻止し、ロック摘み３１を押し下げての操作ボタン７８，７９の不正な操作や悪戯を防止し得る。
【００７４】
一方、インナ−ドア１またはアウタ−ドア２の開放後、施錠装置を施錠する場合は、インナ−ドア１とアウタ−ドア２を閉鎖し、操作ノブ９を図７上時計方向へ１８０°回動し、これに同動するクレセント８をクレセント受金具６に掛け止める。
【００７５】
次に、ロック摘み３１を押し下げ、これにロックプレ−ト５０と連結板３９とを同動させ、屈曲片４４の側端部を第１ストッパ１７と係合可能に位置付ける。
また、ロックプレ−ト５０の押し下げに伴い、支持片５７，５８をカウンタ−ギヤ５９，６０の係合溝６５，６６から引き抜き、カウンタ−ギヤ５９，６０をボタンギヤ８６，８７に噛合させる。
このようにすることで、カウンタ−ギヤ５９，６０に保持された暗証設定情報に相当する回動角度の下でボタンギヤ８６，８７と噛合し、暗証情報設定当初の施錠状態が復旧する。
【００７６】
なお、ボタン錠部７の暗証情報は定期的に変更することが保安上望ましく、その場合は操作具１０７を操作口１０６に挿入し、ボタンギヤ８６，８７とカウンタ−ギヤ５９，６０との噛合を解除して行なう。
前記暗証情報の変更は、具体的には暗証情報、例えば暗証番号が増加する場合と、減少する場合とがあり、それぞれ変更操作が相違する。
例えば、前述の操作ボタン７８の暗証番号は「３」であるが、これを「４」に変更する場合は、操作具１０７を挿入したまま操作ボタン７８を増加分、つまり１回押圧操作すれば良い。
【００７７】
一方、操作ボタン７８の暗証番号を「２」に変更する場合は、操作具１０７を挿入したまま操作ボタン７８を押し続け、表示窓９３に暗証基準表示部９２を表示させ、一旦初期状態に戻した後、新たに操作ボタン７８を変更相当分、つまり２回押圧操作すれば良い。
【００７８】
このように本発明の施錠装置は、ボタン錠部７にクレセント８を連係し、従来のこの種装置におけるキ−操作の煩雑と、キ−の紛失やその拾得者等による悪戯、不真正なキ−による施解錠等の問題を解消するとともに、構成を簡潔化し、部品点数を低減して容易かつ安価に製作できるとともに、小形軽量化を図り、サッシ窓への取り付けを実現させたものである。
【００７９】
前述の実施形態では二つの操作ボタンを縦一列に配置しているが、暗証情報量を増加する場合は、１または複数の操作ボタンを縦列に増加配置すれば良く、その増加分に応じてロックプレ−ト５０の支持片を増設すれば良い。
また、前述の実施形態では、本発明をサッシ窓の開閉装置であるクレセントに適用しているが、引き違い門扉等の開閉装置に適用することも可能である。
【産業上の利用可能性】
【００８０】
このように本発明の施錠装置は、暗証情報を入力したボタン操作によって開閉装置の作動を制御し、従来の二重ロック機構やキ−操作による使用上および安全上の問題を解消するとともに、真正な使用者だけに開閉装置の開閉を許容し、その防御能力を強化するとともに使用上の安全性を確保し、しかも小形軽量化を図れ、サッシ窓の開閉装置であるクレセントに好適である。
【図面の簡単な説明】
【００８１】
【図１】本発明をサッシ窓のクレセントに適用した状況を示す斜視図である。
【図２】図１の正面図である。
【図３】図１の右側面図である。
【図４】本発明の要部を分解して示す斜視図である。
【図５】本発明に適用した錠ケ−スの内部を示す正面図で、同図（ａ）はボタン錠カバ−および裏板カバ−を開蓋して施錠状態を示し、同図（ｂ）は施錠時におけるロックプレ−トとカウンタ−ギヤとの関係を拡大して示している。
【００８２】
【図６】本発明に適用した錠ケ−スの内部を示す正面図で、同図（ａ）はボタン錠カバ−および裏板カバ−を開蓋して解錠し、かつクレセントの掛け止め状態を示し、同図（ｂ）は解錠時におけるロックプレ−トとカウンタ−ギヤとの関係を拡大して示している。
【図７】本発明に適用した錠ケ−スの内部を示す正面図で、同図（ａ）はボタン錠カバ−および裏板カバ−を開蓋して解錠し、かつクレセントの掛け外し状態を示し、同図（ｂ）は施錠時におけるロックプレ−トとカウンタ−ギヤとの関係を拡大して示している。
【図８】図２のＡ−Ａ線に沿う断面図で、本発明に適用したボタン錠の内部と、操作ボタンの通常作動時を示している。
【図９】図２のＢ−Ｂ線に沿う断面図で、本発明に適用したボタン錠の内部と、その施錠時の作動状態を示している。
【００８３】
【図１０】図２のＡ−Ａ線に沿う断面図で、本発明に適用したボタン錠の内部と、ボタンの作動状態を示している。
【図１１】図２のＢ−Ｂ線に沿う断面図で、本発明に適用したボタン錠の内部と、その解錠時の作動状態を示している。
【図１２】図２のＢ−Ｂ線に沿う断面図で、本発明に適用したボタン錠の内部と、暗証情報設定時の状況を示している。
【図１３】本発明に適用した連結片と、ロック摘みとロックプレ−トとを分解して斜視図である。
【００８４】
【図１４】本発明に適用した連結片と、ロック摘みとロックプレ−トとの組み付け状況を分解して示す斜視図である。
【図１５】本発明に適用したボタン錠の主要部の組み付け状況を示す斜視図である。
【図１６】本発明に適用したロックプレ−トとカウンタ−ギヤとの組み付け状況を示す斜視図である。
【００８５】
【図１７】本発明に適用した一方のカウンタ−ギヤを示す正面図である。
【図１８】図１７のＣ−Ｃ線に沿う断面図である。
【図１９】本発明に適用した一方のボタンギヤの組付け状況を示す正面図である。
【図２０】本発明に適用した一方のボタンギヤのアセンブリを分解して示す斜視図である。
【符号の説明】
【００８６】
５    施錠装置本体
７    ボタン錠部
１０    錠ケ−ス
１３    クリックワッシャ−
１７    第１ストッパ
１８    第２ストッパ
３１    ロック摘み
３９    連結板
５５ａ  開口縁部
５６ａ  開口縁部
５０    施錠制御部（ロックプレ−ト）
５７    支持片
５８    支持片
５９    回動体（カウンタ−ギヤ）
６０    回動体（カウンタ−ギヤ）
６３    頸部
６４    頸部
６５    係合溝
６６    係合溝
７８    操作ボタン（ボタンケ−ス）
７９    操作ボタン（ボタンケ−ス）
８６    ボタンギヤ
８７    ボタンギヤ
９２    暗証基準表示部
９３    表示窓
９４    表示窓
【図１】
2005097904.tif 000003
【図２】
2005097904.tif 000004
【図３】
2005097904.tif 000005
【図４】
2005097904.tif 000006
【図５】
2005097904.tif 000007
【図６】
2005097904.tif 000008
【図７】
2005097904.tif 000009
【図８】
2005097904.tif 000010
【図９】
2005097904.tif 000011
【図１０】
2005097904.tif 000012
【図１１】
2005097904.tif 000013
【図１２】
2005097904.tif 000014
【図１３】
2005097904.tif 000015
【図１４】
2005097904.tif 000016
【図１５】
2005097904.tif 000017
【図１６】
2005097904.tif 000018
【図１７】
2005097904.tif 000019
【図１８】
2005097904.tif 000020
【図１９】
2005097904.tif 000021
【図２０】
2005097904.tif 000022